(57)【要約】【課題】  光ディスクの使用履歴の有無に依らず、書き込みが不安定になる虞のある記録媒体に対して、確実に放送番組の録画を行うことが可能な記録装置を提供する。 【解決手段】  確実録画キ−２２ａを押下することにより、ＤＶＤ−Ｒのデ−タエリアの終端位置を示すリ−ドアウトデ−タの記録位置が、ディスクの内周側に設定されることにより、ＤＶＤ−Ｒの録画可能時間が短縮され、ＤＶＤ−Ｒの記録層における外周部分へのデ−タの書き込みが意図的に行われなくなる。その結果、購入したＤＶＤ−Ｒが安価であることや、反りが発生していることをユ−ザ−が認識している場合に、上記確実録画キ−を押下するだけの簡易な操作で、確実に放送番組の録画を行うことが可能となるため、利便性に優れたものとなる。【選択図】図３
2007018579.tif 000002
【特許請求の範囲】
【請求項１】
複数のキ−を備えた操作部からの指示に基づいて制御手段で装置の各部を制御することにより、受信する放送番組をＤＶＤ−Ｒに録画する記録装置において、
制御手段は、トレイにセットされているＤＶＤ−Ｒが記録可能なディスクであるか否かを判定するとともに、記録可能なディスクではないと判定した場合にはオンスクリ−ン表示用のデ−タを生成してＯＳＤ処理部に送信することにより、記録不可能なディスクであることを示すエラ−メッセ−ジをオンスクリ−ン表示させる処理を行い、
上記操作部に確実録画キ−を設け、
上記確実録画キ−が押下された場合、上記制御手段は、上記ＤＶＤ−Ｒの録画可能時間を少なく設定して放送番組の録画を開始し、
上記操作部のキ−に所定の操作がされて放送番組の録画予約がされた場合、上記制御手段は、上記ＤＶＤ−Ｒの録画可能時間を少なく設定し、上記録画予約された放送番組の録画開始時刻に到達したときに、上記放送番組の録画を開始するように構成され、
上記制御手段は、上記録画予約された放送番組の放送時間が、設定された録画可能時間よりも長い場合には、ビットレ−トを低く設定して録画を行うように構成され、
上記光ディスクの録画可能時間を設定可能であることを特徴とする記録装置。
【請求項２】
複数のキ−を備えた操作部からの指示に基づいて制御手段で装置の各部を制御することにより、受信する放送番組を光ディスクに録画する記録装置において、
上記操作部に確実録画キ−を設け、
上記確実録画キ−が押下されたことを受けて、上記制御手段は、上記光ディスクの録画可能時間を少なく設定して放送番組の録画を開始することを特徴とする記録装置。
【請求項３】
複数のキ−を備えた操作部からの指示に基づいて制御手段で装置の各部を制御することにより、受信する放送番組を光ディスクに録画する記録装置において、
上記操作部のキ−に所定の操作がされて放送番組の録画予約がされたことを受けて、上記制御手段は、上記光ディスクの録画可能時間を少なく設定し、上記録画予約された放送番組の録画開始時刻に到達したときに、上記放送番組の録画を開始することを特徴とする記録装置。
【請求項４】
上記制御手段は、上記録画予約された放送番組の放送時間が、設定された録画可能時間よりも長い場合には、ビットレ−トを低く設定して録画を行うことを特徴とする請求項３に記載の記録装置。
【請求項５】
上記光ディスクの録画可能時間を設定可能であることを特徴とする請求項２〜４のいずれかに記載の記録装置。
【発明の詳細な説明】
【技術分野】
【０００１】
本発明は、ＤＶＤ（Digital Versatile Disk）やＣＤ−ＲＯＭ等の光ディスクに放送番組を録画する記録装置に関するものである。
【背景技術】
【０００２】
ＤＶＤ−Ｒ等の光ディスクにおいて、安価なものや、ディスクに反りがあるもの等には、外周部のデ−タの書き込みが不安定になることがある。このような光ディスクでは、放送番組の録画終了後のファイナライズに失敗し、録画された放送番組を全く視聴することができなくなってしまう事態が発生する。
【０００３】
このような事態の発生を防止するために、従来、光ディスクへの録画時に発生したエラ−情報に基づいて、光ディスクの記録層へのデ−タの書き込み位置を調整する記録装置が知られている（例えば、特許文献１、２参照）。また、光ディスクの製造メ−カ−、製品種別、製造地域等のメディア情報に応じて、光ディスクの記録層へのデ−タの書き込みを調整する記録装置が知られている（例えば、特許文献３参照）。
【特許文献１】特開２００４−１１０９６４号公報
【特許文献２】特開２００４−２２７７３３号公報
【特許文献３】特開２００４−３４２２１７号公報
【発明の開示】
【発明が解決しようとする課題】
【０００４】
しかしながら、上述した特許文献１、２に記載の記録装置では、既に一度録画を行った光ディスクに対してのみデ−タの書き込み位置を調整するものであり、初めて録画を行う光ディスクや、１度しか書き込みを行うことができないＤＶＤ−Ｒ等の記録装置に適用することができない。
また、上述した特許文献３に記載の記録装置でも、或るメ−カ−、製造種別にかかる光ディスクについて、一度使用した履歴がないと、この履歴に基づく書き込み調整を行うことができないため、結局、特許文献１〜３に記載の記録装置は、利便性に劣るものであった。
【０００５】
本発明は、かかる実情にかんがみ、光ディスクの使用履歴の有無に依らず、書き込みが不安定になる虞のある記録媒体に対して、確実に放送番組の録画を行うことが可能な記録装置を提供しようとするものである。
【課題を解決するための手段】
【０００６】
上記目的を達成するため、請求項２にかかる発明は、複数のキ−を備えた操作部からの指示に基づいて制御手段で装置の各部を制御することにより、受信する放送番組を光ディスクに録画する記録装置において、上記操作部に確実録画キ−を設け、同確実録画キ−が押下されたことを受けて、上記制御手段は、上記光ディスクに録画可能時間を少なく設定して放送番組の録画を開始する構成としてある。
【０００７】
上記のように構成した請求項２にかかる発明においては、確実録画キ−を押下することにより、例えば、本来、２時間録画可能なＤＶＤ−Ｒ等の録画可能時間を、１時間３０分に設定するというように、光ディスクの録画可能時間を少なく設定し、ディスクの外周部分にデ−タの書き込みを行わないように設定することが可能となる。このようにすることにより、安価に購入した光ディスクや、反りが視認できる光ディスクについては、一律に確実録画キ−を押下することにより、確実に放送番組の録画を行うことができるため、利便性に優れたものとなる。
【０００８】
また、請求項３にかかる発明は、複数のキ−を備えた操作部からの指示に基づいて制御手段で装置の各部を制御することにより、受信する放送番組を光ディスクに録画する記録装置において、上記操作部のキ−に所定の操作がされて放送番組の録画予約がされたことを受けて、上記制御手段は、上記光ディスクの録画可能時間を少なく設定し、上記録画予約された放送番組の録画開始時刻に到達したときに、上記放送番組の録画を開始する構成としてある。
【０００９】
上記のように構成した請求項３にかかる発明において、録画予約を行うときに操作部のキ−に所定の操作を行うことにより、例えば、本来、２時間録画可能なＤＶＤ−Ｒ等の録画可能時間を、１時間３０分に設定するというように、光ディスクの録画可能時間を少なく設定し、ディスクの外周部分にデ−タの書き込みを行わないように設定することが可能となる。このようにすることにより、安価に購入した光ディスクや、反りが視認できる光ディスクについては、録画予約時の所定の操作により、確実に放送番組の録画を行うことができるため、利便性に優れたものとなる。
【００１０】
また、請求項４にかかる発明は、上記制御手段が、上記録画予約された放送番組の放送時間が、設定された録画可能時間よりも長い場合には、ビットレ−トを低く設定して録画を行う構成としてある。
上記のように構成した請求項４にかかる発明において、録画可能時間を短縮させた結果、録画予約した放送番組の放送時間よりも短くなってしまった場合でも、確実に放送番組を全て録画させることが可能となる。
【００１１】
また、請求項５にかかる発明は、上記光ディスクの録画可能時間を設定可能である構成としてある。
上記のように構成した請求項５にかかる発明において、光ディスクの録画可能時間を、その光ディスクが本来の録画可能時間よりも短くなる範囲内で設定することが可能となる。
【発明の効果】
【００１２】
本発明の請求項２にかかる発明では、一律に確実録画キ−を押下することにより、確実に放送番組の録画を行うことができるため、利便性に優れたものとなる。
また、請求項３にかかる発明では、安価に購入した光ディスクや、反りが視認できる光ディスクについては、録画予約時の所定の操作により、確実に放送番組の録画を行うことができるため、利便性に優れたものとなる。
また、請求項４にかかる発明では、録画可能時間を短縮させた結果、録画予約した放送番組の放送時間よりも短くなってしまった場合でも、確実に放送番組を全て録画させることが可能となる。
また、請求項５にかかる発明では、光ディスクの録画可能時間を、その光ディスクが本来の録画可能時間よりも短くなる範囲内で設定することが可能となる。
【発明を実施するための最良の形態】
【００１３】
以下、下記の順序に従って本発明の実施形態を説明する。
（１）第一の実施形態：
（２）第二の実施形態：
（３）各種変形例：
（４）まとめ：
【００１４】
（１）記録再生装置の構成：
以下、本発明の実施形態について説明する。
図１は、実施形態にかかる記録再生装置の概略構成を示すブロック図である。なお、本実施形態においては、放送番組の録画を行う録画機能を有するとともに、録画された放送番組を再生する再生機能を有する記録再生装置に本発明を適用した場合について説明する。この記録再生装置１は、書き換え可能型の光ディスク１０（ＤＶＤ−ＲＷ等）および追記型の光ディスク１０（ＤＶＤ−Ｒ等）にテレビ放送の放送番組を録画するとともに、光ディスク１０（ＤＶＤ−Ｒ、ＤＶＤ−ＲＷ、ＤＶＤ−ＲＯＭ等）に録画された放送番組や映像デ−タ等を再生する。なお、この記録再生装置１の構成は、後述する確実録画キ−がリモコン２０に設けられている点を除き、ハ−ドウェア的には従来の記録再生装置と同様である。
【００１５】
以下、図１を参照して記録再生装置１について説明する。制御部１８は、ＣＰＵ１８ａ、メモリ１８ｂおよび図示しない制御回路から構成され、メモリ１８ｂに格納されているプログラムをＣＰＵ１８ａが実行することによって、記録再生装置１の各部を制御する。図中の矢印付きの破線は、制御信号や制御デ−タの流れを示す。また、メモリ１８ｂは、各種の制御デ−タの記憶領域やＣＰＵ１８ａの演算作業領域等としても使用される。
【００１６】
リモコン２０には、図２に示すように、電源スイッチ２１と多数のキ−２２（確実録画キ−２２ａ、メニュ−キ−２２ｂ、録画キ−２２ｃ、再生キ−２２ｄ、停止キ−２２ｅ、決定キ−２２ｆ、カ−ソルキ−２２ｇ等）とが設けられている。リモコン２０のキ−２２が押下されると、押下されたキ−２２の信号が制御部１８に送信され、制御部１８がキ−操作に応じて各部を制御することにより、放送番組の光ディスク１０への録画や録画された放送番組の再生等が行われる。なお、図１には図示していないが、記録再生装置１の筐体の前面に配置された操作パネル１９にも、電源スイッチや、確実録画キ−、録画キ−、再生キ−、停止キ−等が設けられている。以下では、リモコン２０のキ−２２のみが押下されるものとして説明する。時計ＩＣ１７は、現在の年月日および時刻（以下、両者を合わせて日時という）を記憶しており、制御部１８によって日時デ−タの読み書きが行われる。
【００１７】
放送受信部１２は、アンテナ１１で受信された放送信号を選局し、さらに選局された放送信号の増幅および検波を行い、映像信号と音声信号とを出力する。この映像信号と音声信号とは、それぞれ記録信号処理部１３でＡ／Ｄ変換された後に圧縮符号化され、記録再生部１４で光ディスク１０に書き込まれる（録画される）。記録再生部１４は、圧縮符号化された映像信号と音声信号とを光ディスク１０の書き込み信号に変調する変調回路や、光ディスク１０から読み出された信号を復調する復調回路、光ピックアップ、光ディスク１０をセットするトレイ、光ディスク１０を回転させるための回転駆動機構等から構成されている。
【００１８】
一方、記録再生部１４で光ディスク１０から読み出された（再生された）信号は、再生信号処理部１５で映像信号と音声信号とに分離され、分離された信号が伸張複合化された後にＤ／Ａ変換される。Ｄ／Ａ変換された音声信号は、テレビ３０の音声信号入力端子に入力される。また、Ｄ／Ａ変換された映像信号に対して、ＯＳＤ処理部１６でＯＳＤ用信号が重畳される。ＯＳＤ用信号は、制御部１８によって生成されるオンスクリ−ン表示用の信号であり、テレビ３０の画面にオンスクリ−ン表示をするときに制御部１８から出力される。そして、ＯＳＤ処理部１６の出力信号がテレビ３０（外部に接続された表示装置）の映像信号入力端子に入力される。
【００１９】
上述のようにして録画された放送番組のデ−タは、録画操作毎に（すなわち、放送番組（タイトル）毎に）ファイルとして光ディスク１０のデ−タ領域に記録される。また、ファイルの管理情報（録画開始アドレスや録画サイズ等）は、光ディスク１０の管理領域に記録される。従って、録画された放送番組の消去は、デ−タ領域に記録されたデ−タ自体を消去するのではなく、ファイルの管理情報を書き換えることによって行われる。なお、ＤＶＤ−ＲＷの略全域に放送番組のデ−タが記録されているときに、全ての放送番組のファイルの管理情報を書き換えるのに必要な時間は、１分程度である。
【００２０】
以下においては、記録再生装置１に挿入される光ディスクがＤＶＤ−Ｒである場合について説明する。
図３は、ＤＶＤ−Ｒの記録層のレイアウトを説明するための説明図である。ＤＶＤ−Ｒの記録層における論理的なデ−タレイアウトとして、ディスク内周側から外周側にかけてインフォメ−ションエリアが形成される。このインフォメ−ションエリアは、デ−タの記録互換、再生互換を確保するために必要な情報を全て含んでいる領域である。
【００２１】
上記インフォメ−ションエリアは、主に、以下の５つの領域から構成されている。すなわち、インナ−ドライブエリア、リ−ドインエリア、デ−タエリア、リ−ドアウトエリアおよびアウタ−ドライブエリアの５つの領域から構成されている。これら５つの領域のうち、リ−ドインエリア、デ−タエリアおよびリ−ドアウトエリアは、再生専用装置でも支障なくアクセス可能な領域にある。一方、インナ−ドライブエリアとアウタ−ドライブエリアとは、記録装置専用の領域である。情報の記録を行う際には、正しい記録マ−クが形成できるように記録時のレ−ザ−パワ−を調整する必要がある。このため、最適記録条件を求めるためのテスト記録に使用できるテストゾ−ンと記録条件に関する管理情報を記録できる領域がインナ−ドライブエリアとアウタ−ドライブエリアに形成される。
【００２２】
デ−タエリアは、基本的にユ−ザ−デ−タの記録が行われる領域であり、本実施形態においては、放送番組がデ−タとて記録される領域である。また、上記リ−ドアウトエリアには、上記デ−タエリアの終端位置を示す情報（リ−ドアウトデ−タ）が記録されている。なお、このリ−ドアウトエリアに管理情報の記録を行うようにしてもよい。デ−タエリアの終端位置を示すリ−ドアウトデ−タが記憶されるリ−ドアウトエリアから、アウタ−ドライブエリアまでの領域は、何もデ−タが記録されていない未記録エリアとなっている。
【００２３】
図３では、放送番組が録画されるデ−タエリアと、未記録エリアとが合わせて１２０分となっている。すなわち、このＤＶＤ−Ｒでは、最大録画時間に達するまで放送番組が録画された場合、すなわち、上記未記録エリアがなくなるまで録画をした場合に、１２０分間することができるようになっている。しかし、図３に示した例では、録画した番組が１２０分に満たないため、デ−タエリアが、放送番組の時間に換算して１２０分未満の位置で終了し、それに続いてリ−ドアウトエリアが形成されている。
【００２４】
上述したように、ＤＶＤ−Ｒが安価なものであった場合や、ディスクに反りが発生している場合等には、ディスクの外周部分（図３における右方向）のデ−タの書き込みが不安定になることがある。そこで、実施形態にかかる記録再生装置１では、上記確実録画キ−２２ａを押下することにより、デ−タエリアの終端位置を示す上記リ−ドアウトデ−タが記録される位置が、ディスクの内周側に設定され、それ以上放送番組の録画を行わせないようにするのである。例えば、上記確実録画キ−２２ａが押下されると、リ−ドアウトデ−タが書き込まれる位置が、録画時間にして０〜９０分に設定され、９０〜１２０分のエリアにはリ−ドアウトデ−タが書き込まれないように設定される。これにより、ＤＶＤ−Ｒの録画可能時間が９０分に設定されるのである。
【００２５】
以下、記録再生装置１の動作について説明する。リモコン２０の確実録画キ−２２ａが押下されると、図４に示す録画処理が図示しないメインル−チンから呼び出されて実行される。この録画処理は、光ディスクとしてのＤＶＤ−Ｒの録画可能時間を、同ＤＶＤ−Ｒの最大録画時間よりも短く設定して録画を開始する処理である。以下では、光ディスク１０としてＤＶＤ−Ｒが記録再生装置１のトレイにセットされているものとして説明する。
【００２６】
まず、制御部１８は、光ディスク１０（ＤＶＤ−Ｒ）が、記録可能なメディアであるか否かを判定する（Ｓ１）。この判定は、トレイにセットされている光ディスクが、記録再生装置１にて録画を行うことができないディスクであるか、または、ＤＶＤ−Ｒに既に放送番組が録画されており、追記不可となっているか否かを調べる。記録可能なメディアではない場合（Ｓ１：ＮＯ）、制御部１８は、エラ−メッセ−ジの表示信号を出力する（Ｓ４）。具体的には、オンスクリ−ン表示用のデ−タを生成してＯＳＤ処理部１６に送信する。この結果、記録不可能なメディアであることを示すエラ−メッセ−ジがオンスクリ−ン表示される。記録可能なメディアである場合には（Ｓ１：ＹＥＳ）、制御部１８は、ＤＶＤ−Ｒの録画可能時間を短縮設定する（Ｓ２）。この処理において、放送番組が録画される領域であるデ−タエリアの終端位置を示すリ−ドアウトデ−タが記録される位置を、予め、同ＤＶＤ−Ｒの最大録画時間よりも短くなるように設定する。このステップＳ１の処理が実行されることにより、例えば、トレイに挿入されたＤＶＤ−Ｒの最大録画時間が１２０分である場合に、短縮設定されて記録可能時間が９０分に設定される。なお、ＤＶＤ−Ｒにおける録画可能時間の短縮の際、短縮される時間は一定（例えば、３０分）であってもよく、任意に設定可能であってもよい。ステップＳ２の処理より録画可能時間が短縮設定されると、制御部１８は、録画処理を開始し（Ｓ３）、処理ステップを呼び出し元に戻す。
【００２７】
上記のように、確実録画キ−２２ａを押下するだけで、ＤＶＤ−Ｒの録画可能時間が、最大録画時間から所定時間（３０分）短縮され、ＤＶＤ−Ｒの記録層における外周部分へのデ−タの書き込みが意図的に行われなくなる。その結果、購入したＤＶＤ−Ｒが安価であることや、反りが発生していることをユ−ザ−が認識している場合に、上記確実録画キ−を押下するだけの簡易な操作で、確実に放送番組の録画を行うことが可能となるため、利便性に優れたものとなる。
【００２８】
（２）第二の実施形態：
次に、本発明の第二の実施形態について説明する。先の実施形態では、確実録画キ−２２ａを押下することにより、ＤＶＤ−Ｒの録画可能時間の短縮設定を行い、その直後に録画を開始させる場合について説明したが、第二の実施形態では、放送番組の録画予約の場合について説明する。
図５は、放送番組の録画予約をするための録画予約処理の処理内容を示すフロ−チャ−トである。また、図６は、録画予約のときにテレビ３０の画面にオンスクリ−ン表示される録画予約画面を示す図である。
【００２９】
録画予約をするときにメニュ−キ−２２ｂ等が押下されると、録画予約画面５０がオンスクリ−ン表示されるとともに、録画予約処理がメインル−チンから呼び出されて実行される。録画予約画面５０の上部側には、録画予約の入力画面５１が表示され、下部側には既に行われた録画予約の内容を示す録画予約リスト５２が表示される。録画予約リスト５２は、録画予約の内容を記憶する録画予約テ−ブルを表形式で表示したものである。録画予約テ−ブルは、制御部１８のメモリ１８ｂに保存されている。録画予約画面５０が表示された状態で、カ−ソルキ−２２ｇや決定キ−２２ｆ等を従来と同様に操作することにより、録画開始時刻や全ての放送番組を消去するか否かの指定等の録画予約情報が入力画面５１に示される。
【００３０】
録画予約処理（図５）では、制御部１８は、入力画面５１に全ての録画予約情報が入力されたか否かを判定し（Ｓ２１）、全ての録画予約情報が入力されると（Ｓ２１：ＹＥＳ）、確実録画の指定があったか否かを判定する（Ｓ２２）。確実録画の指定があった場合には（Ｓ２２：ＹＥＳ）、録画可能時間の短縮設定を行う（Ｓ２３）。ステップＳ２３の処理は、図４のステップＳ２と同様の処理であり、放送番組が録画される領域であるデ−タエリアの終端位置を示すリ−ドアウトデ−タが記録される位置を、予め、同ＤＶＤ−Ｒの最大録画時間よりも短くなるように設定する。
【００３１】
ステップＳ２３の処理を行うと、次に、番組時間が録画可能時間よりも長いか否かを判定する（Ｓ２４）。この処理において、予約録画を行おうとする放送番組の放送時間（番組時間）が、ステップＳ２３にて短縮設定されたＤＶＤ−Ｒの録画可能時間よりも長いか否かを判定する。番組時間が録画可能時間よりも長いということは、予約録画を行おうとする放送番組を全て録画することができないということである。
【００３２】
番組時間が録画可能時間よりも長い場合（Ｓ２４：ＹＥＳ）、放送番組の録画のビットレ−トを変更（減少）させる処理を行う（Ｓ２５）。ビットレ−トを減少させると、単位時間あたりのデ−タ量が減少するため、リ−ドアウトデ−タが記録される位置が同じであっても、録画可能時間が増えることとなり、予約録画を行おうとする放送番組を全て録画することが可能となる。ステップＳ２５の処理を実行するか、ステップＳ２２において確実録画の指定がなかった場合、または、ステップＳ２４において番組時間が録画可能時間よりも長くないと判定した場合、入力された録画予約情報を録画予約テ−ブルに登録して（Ｓ２５）、処理ステップを呼び出し元に戻す。
図５に示した録画予約処理が実行され、録画開始時刻に到達すると、放送番組の録画が開始されるのであるが、録画時間がステップＳ２３にて設定された録画可能時間に到達すると、録画が終了するのである。
【００３３】
上記のように、録画予約するときに確実録画の指定を行うことにより、ＤＶＤ−Ｒの録画可能時間が短縮され、ＤＶＤ−Ｒの記録層における外周部分へのデ−タの書き込みが意図的に行われなくなる。その結果、購入したＤＶＤ−Ｒが安価であることや、反りが発生していることをユ−ザ−が認識している場合に、録画予約の際に確実録画の指定を行うという簡易な操作で、確実に放送番組の録画を行うことが可能となるため、利便性に優れたものとなる。
【００３４】
（３）各種変形例：
【００３５】
上述した実施形態では、本発明の記録装置を、放送番組の録画と再生とが可能な記録再生装置に適用した場合について説明したが、記録装置は、放送番組の録画機能を有しておればよく、必ずしも再生機能を有している必要はない。
また、上述した実施形態では、記録再生装置１とテレビ３０は別々の装置であったが、本発明の記録装置は、記録再生装置一体型テレビを構成する記録再生装置をも含むものである。
さらに、上述した実施形態では、光ディスクとしてＤＶＤ−Ｒを適用した場合について説明したが、本発明の記録装置が放送番組の録画を行う光ディスクとしては、ＤＶＤ−Ｒに限定されるものではなく、ＤＶＤ−ＲＷ、ＤＶＤ＋Ｒ、ＤＶＤ＋ＲＷ、ＣＤ−Ｒ、ＣＤ−ＲＷ等を適用することができる。
【００３６】
（４）まとめ：
以上説明したように、実施形態にかかる記録再生装置１によれば、確実録画キ−２２ａを押下することにより、ＤＶＤ−Ｒのデ−タエリアの終端位置を示すリ−ドアウトデ−タの記録位置が、ディスクの内周側に設定されることにより、ＤＶＤ−Ｒの録画可能時間が短縮され、ＤＶＤ−Ｒの記録層における外周部分へのデ−タの書き込みが意図的に行われなくなる。その結果、購入したＤＶＤ−Ｒが安価であることや、反りが発生していることをユ−ザ−が認識している場合に、上記確実録画キ−を押下するだけの簡易な操作で、確実に放送番組の録画を行うことが可能となるため、利便性に優れたものとなる。
【図面の簡単な説明】
【００３７】
【図１】第一の実施形態にかかる記録再生装置のブロック図である。
【図２】確実録画キ−が設けられたリモコンを示す図である。
【図３】ＤＶＤ−Ｒの記録層のレイアウトを説明するための説明図である。
【図４】録画処理の流れを示すフロ−チャ−トである。
【図５】録画予約処理の流れを示すフロ−チャ−トである。
【図６】録画予約のときにテレビ画面にオンスクリ−ン表示される録画予約画面を示す図である。
【符号の説明】
【００３８】
１…記録再生装置
１０…光ディスク
１４…記録再生部
１８…制御部
１９…操作パネル
２０…リモコン
２２…キ−
２２ａ…確実録画キ−
２２ｃ…録画キ−
３０…テレビ
５０…録画予約画面
【図１】
2007018579.tif 000003
【図２】
2007018579.tif 000004
【図３】
2007018579.tif 000005
【図４】
2007018579.tif 000006
【図５】
2007018579.tif 000007
【図６】
2007018579.tif 000008